(57)【要約】      （修正有）【課題】座ったまま鏡を見たり本を読んだりすることができるとともに、その際に手が両方とも塞がらずに自由に他の作業等で使用することが可能となる遊動自在の鏡並びに書籍保持台の提供。【解決手段】伸縮自在な支持部材の一端に壁に対して回動自在に取付けるための取付機構を備えるとともに、その他端には支持部材に対して回動自在な鏡を備えた構成を採用する。また、前記鏡に変えて、支持部材の他端に支持部材に対して回動自在な書籍保持台を備えた構成とすることもでき、あるいは、支持部材の他端に支持部材に対して回動自在な鏡兼書籍保持台を備えた構成とすることもできる。【選択図】図１
0003109855.tif 000002
【実用新案登録請求の範囲】
【請求項１】
伸縮自在な支持部材の一端に壁に対して回動自在に取付けるための取付機構を備えるとともに、その他端には該支持部材に対して回動自在な鏡を備えたことを特徴とする遊動自在鏡。
【請求項２】
伸縮自在な支持部材の一端に壁に対して回動自在に取付けるための取付機構を備えるとともに、その他端には該支持部材に対して回動自在な書籍保持台を備えたことを特徴とする遊動自在書籍保持台。
【請求項３】
伸縮自在な支持部材の一端に壁に対して回動自在に取付けるための取付機構を備えるとともに、その他端には該支持部材に対して回動自在な鏡兼書籍保持台を備えたことを特徴とする遊動自在鏡兼書籍保持台。
【考案の詳細な説明】
【技術分野】
【０００１】
本考案は、建物の壁面に取付けられる鏡並びに書籍保持台に関するものである。
【背景技術】
【０００２】
人は生活する中で、鏡を見たり本を読んだりする。鏡を見るためには、通常、玄関先や洗面所等の鏡が設置された壁に向かって立つこととなる。座って鏡を見るためには、腰掛まで手鏡を持って行くこととなるが、鏡を見る際に片手が塞がってしまい不便である。また、置き鏡を机のある腰掛まで持っていけば、座って鏡を見ることができるが、机の存在が不可欠となってしまう。さらに、化粧机がある所まで行けば、その前に腰掛けて鏡を見ることもできるが、その化粧机のある所までわざわざ移動する手間が生じてしまう。
【０００３】
上記各問題点は、本や雑誌等の書籍を読むときにも同じことであり、腰掛けながら書籍を読むためには、最低でも片手が塞がってしまうこととなってしまう。そこで従来において、机等に置いて書籍を保持する器具等が種々考案されているが、机の存在が不可欠となってしまう。
【考案の開示】
【考案が解決しようとする課題】
【０００４】
上記問題点に鑑み、本考案は、座ったまま鏡を見たり本を読んだりすることができるとともに、その際に手が両方とも塞がらずに自由に他の作業等で使用することが可能となる遊動自在の鏡並びに書籍保持台を提供することを目的とする。
【課題を解決するための手段】
【０００５】
前記目的を達成するため、本考案は、伸縮自在な支持部材の一端に壁に対して回動自在に取付けるための取付機構を備えるとともに、その他端には該支持部材に対して回動自在な鏡を備えた構成を採用している。
【０００６】
また、本考案は、前記鏡に変えて、支持部材の他端に該支持部材に対して回動自在な書籍保持台を備えた構成とすることもできる。
【０００７】
さらに、本考案は、支持部材の他端に該支持部材に対して回動自在な鏡兼書籍保持台を備えた構成を採ることもできる。
【考案の効果】
【０００８】
本考案にかかる遊動自在鏡によれば、座った状態で鏡を見る際に両手がともに塞がることがなく、化粧などといった鏡を見ながらの作業も容易に行うことが可能となる。また、収納性もよく壁面に対してフラットに折り畳むことができて、使用しないときに邪魔になることはない。
【０００９】
さらに、本考案にかかる遊動自在書籍保持台によれば、上記同様、座った状態で書籍を読む際に両手がともに塞がることがなく、説明書を見ながらの作業なども容易に行うことが可能となる。また同様に、収納性もよく壁面に対してフラットに折り畳むことができて、使用しないときに邪魔になることはない。
【００１０】
そして、本考案にかかる遊動自在鏡兼書籍保持台によれば、上記の鏡及び書籍保持台の効果を両方併せ持ち、さらに使用目的に応じて鏡として使用したり書籍保持台として使用するといった一台二役を兼ね備えたものとなって、大変に有益である。
【考案を実施するための最良の形態】
【００１１】
以下、本考案にかかる遊動自在鏡及び遊動自在書籍保持台並びに遊動自在鏡兼書籍保持台を図面に基づいて説明する。
【００１２】
図１は、本考案にかかる遊動自在鏡の実施形態を示す斜視図である。該遊動自在鏡は、伸縮自在な支持部材４を有し、該支持部材４の一端に壁に対して回動自在に取付けるための取付機構を備えている。そしてまた、支持部材４の他端には、該支持部材４に対して回動自在な鏡１を備えた構成となっている。
【００１３】
支持部材４は、伸縮自在なものであれば図面に示す構造のものに限定されるものではない。他にも、例えば、複数の棒状体を折畳み可能に連結した構造のものや、複数の筒状体を引伸ばす構造のもの等が考え得る。また、材質については、備えられた鏡の重量に耐え得るだけの強度を有するもの、例えば金属製や強化プラスチック製であればよい。
【００１４】
取付機構は、壁面に対して取付けるための取付部６と、該取付部６と支持部材４とを回動自在に連結する連結部７とからなる。取付部６の構造については、上記同様、備えられた鏡の重量に耐えられるものであれば特に限定はなく、図面に示すようなネジあるいは釘によって固定したり、強力接着材や強力粘着テープ等により固定することも考え得る。連結部７は、取付部６と支持部材４とを回動自在に連結するものであって、ヒンジ構造となっている。
【００１５】
支持部材４と鏡１とは、連結部８によって連結される。該連結部８は、支持部材４と鏡１とを回動自在に連結するものであり、ヒンジ構造となっている。尚、図面に示すように、備えられる鏡１を三面鏡とすることが考え得る。
【００１６】
上記構成からなる遊動自在鏡によれば、あらゆる場所において座ったまま両手を塞ぐことなく鏡１を見ることが可能となる。特に、かかる遊動自在鏡をトイレ内に取付けた場合、トイレは別名化粧室とも言われるように、トイレ内で髪型を整えたり化粧直しをすることが度々行われていることから、便座に座った状態のままで鏡１を見て種々の作業を行うことが可能となって、大変に有益である。
【００１７】
図２は、本考案にかかる遊動自在書籍保持台の実施形態を示す斜視図である。該遊動自在書籍保持台は、伸縮自在な支持部材４を有し、該支持部材４の一端に壁に対して回動自在に取付けるための取付機構を備えている。そしてまた、支持部材４の他端には、該支持部材４に対して回動自在な書籍保持台２を備えた構成となっている。
【００１８】
支持部材４並びに取付機構については、前記遊動自在鏡における構成と同様である。支持部材４と書籍保持台２とは、連結部８によって連結される。該連結部８は、支持部材４と書籍保持台２とを回動自在に連結するものであり、ヒンジ構造となっている。尚、図面に示すように、書籍保持台２の下部には書籍を安置するための台座２ａが備えられている。
【００１９】
上記構成からなる遊動自在書籍保持台によれば、あらゆる場所において座ったまま両手を塞ぐことなく本や雑誌といった書籍を見ることが可能となる。特に、かかる遊動自在書籍保持台をトイレ内に取付けた場合、トイレで用を足しながら新聞や小説を読む人も多くいることから、便座に座った状態のままで両手を塞ぐことなく書籍を読むことが可能となって、大変に有益である。
【００２０】
尚、図面には示さなかったが、前記遊動自在鏡と遊動自在書籍保持台とを兼ね備えて遊動自在鏡兼書籍保持台とする構造も考え得る。構造的には、支持部材４に備えられる鏡１あるいは書籍保持台２に、他方の機能を併せ持たせた構造とすればよく、例えば、鏡１の下部に書籍を安置するための台座２ａを備えたり、書籍保持台２の全面に鏡１の機能を備えれば済む。
【００２１】
図３は、本考案にかかる遊動自在鏡の収納状態を示す斜視図である。取付部６と支持部材４とが連結部７のヒンジ構造によって回動自在に連結されていることから、壁面に対してフラットな状態にまで該支持部材４を回動させることができる。その際、支持部材４と鏡１とも連結部８のヒンジ構造によって回動自在に連結されていることから、鏡１も壁面に対してフラットな状態とすることが可能である。支持部材４は伸縮自在な構造となっているため、最終的には鏡１を取付機構近辺まで折畳んで移動させることができる。以上の収納作業により、遊動自在鏡は、大変コンパクトに且つ壁面にフラットな状態で収納可能であって、不使用時に邪魔になることがない。尚、図面では遊動自在鏡の収納状態について示しているが、遊動自在書籍保持台並びに遊動自在鏡兼書籍保持台の収納状態についても同様である。
【００２２】
図４は、本考案にかかる遊動自在鏡の使用状態を示す説明図である。図面に示す通り、座った状態において鏡１を見ることができ、その際に両手はともに塞がることがなく、化粧などといった鏡を見ながらの作業も容易に行うことが可能である。尚、図面では遊動自在鏡の使用状態について示しているが、遊動自在書籍保持台並びに遊動自在鏡兼書籍保持台の使用状態についても同様であって、座った状態において書籍Ｂを読むことができ、その際に両手が塞がることがなく、説明書を見ながらの作業なども容易に行うことが可能である。
【図面の簡単な説明】
【００２３】
【図１】本考案にかかる遊動自在鏡の実施形態を示す斜視図である。
【図２】本考案にかかる遊動自在書籍保持台の実施形態を示す斜視図である。
【図３】本考案にかかる遊動自在鏡の収納状態を示す斜視図である。
【図４】本考案にかかる遊動自在鏡の使用状態を示す説明図である。
【符号の説明】
【００２４】
１    鏡
２    書籍保持台
２ａ  台座
４    支持部材
６    取付部
７    連結部
８    連結部
９    取付部
Ｂ    書籍
【図１】
0003109855.tif 000003
【図２】
0003109855.tif 000004
【図３】
0003109855.tif 000005
【図４】
0003109855.tif 000006